(57)【要約】      （修正有）【課題】溶着時に受け治具に保持させやすい車両用灯具の筐体を提供する。【解決手段】底面２１と、底面２１の側縁部から立設する周壁２６ａ〜２６ｄとを備え、上面が開口部２３として開口し、開口部２３に被溶着部材１０が溶着されて、内側に灯室を画成する車両用灯具のランプボディ２０であって、周壁の構成面である第１面２６ａから開口部２３の端部よりも外側に突出する突出部２５が形成され、底面２１から開口部２３に向けて、ランプボディ２０の外形は増大する。突出部２５の先端を含んだ縦断面において、突出部２５の先端から、周壁２６ｃの外面までの水平距離を第１水平距離Ｌ１とし、開口部２３の水平距離を第２水平距離Ｌ２とすると、第１水平距離Ｌ１は、第２水平距離Ｌ２よりも短い。これにより、ランプボディ２０の受け治具３０を分割構成とせずに、筐体２０を収納部３１に保持させることができる。【選択図】図３
2022003632.tif 000002
【特許請求の範囲】
【請求項１】
底面と、前記底面の側縁部から立設する周壁とを備え、上面が開口部として開口し、前記開口部に透明部材が溶着されて、灯室を画成する車両用灯具の筐体であって、
前記周壁の構成面である第１面から前記開口部の端部よりも外側に突出する突出部が形成され、
前記周壁の構成面であり、前記第１面の対向面である第２面が、内側にむけて湾曲／傾斜／屈曲する、または前記第２面には内側に凹む凹部が形成されることにより、前記底面から前記開口部に向けて、前記筐体の外形は増大するよう構成され、
前記突出部の先端を含んだ縦断面において、
前記突出部の先端から、前記第２面の外面までの水平距離を第１水平距離とし、前記開口部の水平距離を第２水平距離とすると、
前記第１水平距離は前記第２水平距離よりも短くなるように構成されている、
ことを特徴とする車両用灯具の筐体。
【請求項２】
前記突出部の先端を含んだ縦断面において、
前記突出部の先端を含んだ水平レベルを第１水平レベルとし、
前記第１水平レベルより上方で、前記第１面と前記第２面との水平距離が、前記第１水平距離と略一致する水平レベルを第２水平レベルとすると、
前記第１水平レベルと前記第２水平レベルとの差は、５ｍｍ以上である、
ことを特徴とする請求項１に記載の車両用灯具の筐体。
【請求項３】
前記第２面は、前記底面から連続して前記周壁の一面と一体化した湾曲面又は傾斜面として構成される、
ことを特徴とする請求項１または請求項２に記載の車両用灯具の筐体。
【発明の詳細な説明】
【技術分野】
【０００１】
本願発明は、車両用灯具の筐体、特に開口部端部よりも外側に突出する突出部を備えた車両用灯具の筐体に関する。
【背景技術】
【０００２】
特許文献１のように、車両用灯具は、非透光性部材から構成されるランプボディと、透光性を有する部材から構成されるランプカバーを備える。ランプボディは、光出射面となる一面が開口しており、ランプカバーはランプボディの開口部に取付けられ灯室を画成する。
【０００３】
ランプカバーは、ランプボディの開口部に溶着される。ランプボディとランプカバーの従来の溶着工程を、図１１を用いて説明する。図１１に示すように、ランプボディ９０２の開口部の外周部には、溶着部として、外向きに突出するフランジ部９０８が周設されている。溶着時にランプボディ９０２を保持する受け治具９１０の上面には、ランプボディ９０２を収めるために大きく窪む収納部９１２が設けられている。
【０００４】
最初に、受け治具９１０にランプボディ９０２を開口部を上方として配置する（図１１（Ａ）参照）。そのままランプボディ９０２を収納部９１２に降下させて、フランジ部９０８を収納部９１２の開口部周縁に掛けることで、ランプボディ９０２は受け治具９１０に保持される（図１１（Ｂ）参照）。次に、例えばレーザー溶着であれば、ランプカバー９０４を、ランプボディ９０２の開口部を塞ぐように、フランジ部９０８の上面に配置し、透明治具（図示せず）を介して押さえつけながら、レーザー光Ｌにてランプカバー９０４の外側から、フランジ部９０８の表面を照射する（図１１（Ｃ）参照）。フランジ部９０８の表面は、レーザー光Ｌの熱により溶融され、ランプボディ９０２とランプカバー９０４は溶着され、両者は一体化して、受け治具９１０から取り外される（図１１（Ｄ）参照）。
【先行技術文献】
【特許文献】
【０００５】
【特許文献１】特開２０１１−２５５６２８号
【発明の概要】
【発明が解決しようとする課題】
【０００６】
図１１に示すように、ランプボディ９０２を溶着するには、最初に受け治具９１０にランプボディ９０２を保持させる必要がある。しかし、ランプボディには車体取付け部として、舌片として外側へ向けて突出する突出部が設けられることがある。図１２（Ａ）に示すランプボディ９０２´ように、突出部９２０が開口部端部よりも外側に突出している場合、突出部９２０が邪魔をして、ランプボディ９０２´を受け治具９１０に保持させることが困難となる（図１２（Ｂ）参照）。
【０００７】
本発明は、この問題を鑑みてなされたものであり、開口部に透明部材が溶着される車両用灯具の筐体であって、該開口部の端部よりも外側に突出する突出部を備え、溶着時に受け治具に保持させやすい車両用灯具の筐体を提供するものである。
【課題を解決するための手段】
【０００８】
上記問題を解決するため、本発明のある態様では、底面と、前記底面の側縁部から立設する周壁とを備え、上面が開口部として開口し、前記開口部に透明部材が溶着されて、内側に灯室を画成する車両用灯具の筐体であって、前記周壁の構成面である第１面から該開口部の端部よりも外側に突出する突出部が形成され、前記周壁の構成面であり、前記第１面の対向面である第２面が、内側にむけて湾曲／傾斜／屈曲する、または前記第２面には内側に凹む凹部が形成されることにより、前記底面から前記開口部に向けて、前記筐体の外形は増大する構成であり、前記突出部の先端を含んだ縦断面において、前記突出部の先端から、前記第２面の外面までの水平距離を第１水平距離とし、前記開口部の水平距離を第２水平距離とすると、前記第１水平距離は前記第２水平距離よりも短くなるように構成した。
【０００９】
この態様によれば、第１水平距離よりも第２水平距離が短いため、突出部の突出方向とは逆方向に寄せることで、突出部の設けられた部分を受け治具の開口部に通らせることができる。突出部を通したあとに、筐体を降下させながら、突出方向に移動させることで、受け治具に保持させることができる。即ち、このように筐体を構成することで、受け治具側に移動機能や切り欠きを設ける必要がなくなり、容易にかつ安定して受け治具に筐体を保持させることができる。
【００１０】
また、ある態様では、前記突出部の先端を含んだ縦断面において、前記突出部の先端を含んだ水平レベルを第１水平レベルとし、前記第１水平レベルより上方で、前記第１面と前記第２面との水平距離が、前記第１水平距離と略一致する水平レベルを第２水平レベルとすると、前記第１水平レベルと前記第２水平レベルとの差は、５ｍｍ以上であるように構成した。
【００１１】
この態様によれば、第１水平レベルと第２水平レベルの差は、受け治具側では、突出部を収めるために設けられた突出部収納部の上部の最大肉厚となる。この突出部収納部は、受け治具の脆弱箇所であるため、この肉厚を５ｍｍ以上とすることで、受け治具に溶着に十分な剛性を持たせることができる。
【００１２】
また、ある態様では、前記第２面は、前記底面から連続して前記周壁の一面と一体化した湾曲面又は傾斜面として構成した。底面が周壁と一体化していても、発明の効果は発揮され、設計の自由度を上げることができる。
【発明の効果】
【００１３】
以上の説明から明らかなように、本発明によれば、開口部に透明部材が溶着される車両用灯具の筐体であって、該開口部の端部よりも外側に突出する突出部を備え、溶着時に受け治具に保持させやすい車両用灯具の筐体が提供できる。
【図面の簡単な説明】
【００１４】
【図１】第１の実施形態に係るランプボディと、ランプカバーと、受け治具の分解斜視図である。
【図２】第１の実施形態に係るランプボディを示す。（Ａ）斜視図、（Ｂ）平面図、（Ｃ）正面図、（Ｄ）は図２（Ｂ）に示すII(D)-II(D)線に沿った断面図である。
【図３】図１の断面図である。
【図４】第１の実施形態に係るランプボディを受け治具に収める工程図である。
【図５】第２の実施形態に係るランプボディと、ランプカバーと、受け治具の分解斜視図である。
【図６】第２の実施形態に係るランプボディを示す。（Ａ）斜視図、（Ｂ）平面図、（Ｃ）正面図、（Ｄ）は図２（Ｂ）に示すII(D)-II(D)線に沿った断面図である。
【図７】図５の断面図である。
【図８】第２の実施形態に係るランプボディを受け治具に収める工程図である。
【図９】変形例を示す。
【図１０】変形例を示す。
【図１１】従来のランプボディとランプカバーの溶着工程図である。
【図１２】従来のランプボディを示す。
【発明を実施するための形態】
【００１５】
以下、本発明の具体的な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１６】
（第１の実施形態）
図１は、第１の実施形態にかかるランプボディ２０、ランプカバー１０、およびランプボディ２０を溶接する際の受け治具３０の分解斜視図である。図２は、ランプボディ２０を示す。（Ａ）斜視図、（Ｂ）平面図、（Ｃ）正面図、（Ｄ）は図２（Ｂ）に示すII(D)-II(D)線に沿った断面図である。
【００１７】
ランプボディ２０は車両用灯具の筐体であり、照射面となる一面が開口部２３として開口している。開口部２３には透明性のランプカバー１０が取り付けられ、内部に灯室を画成する。
【００１８】
灯室内に、図示しないランプユニットが配置され、開口部２３が前面部として、開口部２３の対向面となる底面２１が背面部として配置され、ランプボディ２０は車体に取付けられる。本実施形態では、車両取付け状態ではなく、図１に示すように、受け治具３０にセットされる状態を基準とし、開口部２３を上方とした配置で説明する。
【００１９】
ランプボディ２０は、矩形の底面２１と、底面２１の周縁に沿って立設された周壁２６ａ〜２６ｄを備え、上方が開口して容器状に成型された樹脂製品である。
【００２０】
周壁構成面の第1面である周壁２６ａには、外側に向かって突出する舌片である突出部２５が設けられている。突出部２５は車体取付部であり、ランプボディ２０は、突出部２５に形成された不図示の貫通孔を介して、ボルトなどの固定部材により車体に締結される。図２（Ｂ）に示すように、突出部２５は、開口部２３の端部よりも外側に突出する。
【００２１】
周壁２６ａの対向面であり、周壁構成面の第２面である周壁２６ｃから底面２１にかけて、内側に向かって窪む凹部２２が形成されており、ランプボディ２０は略直方体の下部の一部が切り取られた外形となっている。このため、周壁２６ｃは、開口部２３から底面２１に向かって内側に屈曲する階段状に構成される。凹部２２は直方体状であり、周壁２６ｃは水平面と鉛直面でのみ構成される。
【００２２】
周壁２６ａと周壁２６ｃは、延伸方向（図２（Ｂ）の矢印ＤＲ方向）には同幅を持ち、対向している。もう一対の対向面である周壁２６ｂと周壁２６ｄは、同一形状で構成され、正対している。凹部２２がランプボディ２０の下方領域に形成されているため、ランプボディ２０は、下方の外形よりも上方の外形の方が大きい。
【００２３】
本実施形態では、ランプボディ２０の構成面は、水平面および鉛直面でのみ構成されている。ランプボディ２０の周壁２６ａ〜２６ｄは、底面２１から僅かに外側に向かう傾斜面であると、射出成形時に型開きしやすく、かつ受け治具３０に保持させやすく、好ましい。
【００２４】
ランプカバー１０は、ランプボディ２０の開口部２３に溶着されて、ランプハウジングの一面を構成する。このため、ランプボディ２０の開口部２３には、外側に向かって突出するフランジ部２４が溶着部として周設されている。
【００２５】
図３は、図１の縦断面図である。突出部２５の先端（最突出部）を含む断面図であり、本実施形態においては、断面位置は図２（Ｂ）のII(D)-II(D)線に対応する。図４は、ランプボディ２０を受け治具３０に保持させる工程図である。
【００２６】
図１および図３に示すように、受け治具３０の上面には、ランプボディ２０を収納するため、大きく窪む収納部３１が設けられている。
【００２７】
ランプボディ２０とランプカバー１０の溶着時には、最初に、フランジ部２４を除いたランプボディ２０は収納部３１に収められ、受け治具３０の上面３２にフランジ部２４が掛けられた状態で、ランプボディ２０は受け治具３０に保持される（図４（Ｄ）参照）。その後、ランプボディ２０の開口部２３を覆うようにして、ランプカバー１０がフランジ部２４に載置される。
【００２８】
このとき、ランプカバー１０は、全周にわたって隙なくフランジ部２４と当接している必要がある。これは、いずれかの領域に隙が生じると、隙が断熱層となって伝熱効率が悪くなり、分解発泡が生じて、溶着後の見栄えが悪くなるためである。溶着不具合を抑制するために、開口部２３に周縁部に延びるフランジ部２４を、全周に亘って、受け治具３０の上面３２（収納部３１の開口周縁部）に掛けて、ランプボディ２０を受け治具３０に保持させる。ランプカバー１０を載置後、これを強く上面から押圧して、フランジ部２４と密接させて、両者の隙を排除する。フランジ部２４が載置される収納部３１の開口部周縁は、ランプカバー１０の押圧受け面であり、収納部３１の開口部は、ランプボディ２０の開口部２３と略同形に構成されている。
【００２９】
図３に示すように、ランプボディ２０の凹部２２の内側への凹み量Ｔ２は、突出部２５の周壁２６ａからの突出量Ｔ１よりも多く、突出部２５の先端から、突出部２５が設けられた周壁２６ａの対向面である周壁２６ｃの外面までの水平距離を第１水平距離Ｌ１、ランプボディ２０の開口部２３の水平距離（周壁２６ａ，周壁２６ｃを含む）を第２水平距離Ｌ２とすると、第１水平距離Ｌ１は第２水平距離Ｌ２よりも短くなるように構成されている。
【００３０】
受け治具３０の収納部３１の内側の一面には、突出部２５が収められるように、突出部２５に対応して、内側に窪む突出部収納部３３が設けられている。ランプボディ２０が受け治具３０に保持されるときには、突出部２５が突出部収納部３３に入り込む。
【００３１】
（収納工程）
受け治具３０にランプボディ２０を保持させる際には、まず、図４（Ａ）に示すように、ランプボディ２０を、受け治具３０での保持位置から、突出部２５の突出方向とは逆の方向（図４では右方）に寄せて配置する。
【００３２】
次に、図４（Ｂ）に示すように、ランプボディ２０を、周壁２６ｃの水平面が受け治具３０に接触するまで下方に移動させ、ランプボディ２０の下部分を収納部３１に収める。
【００３３】
次に、図４（Ｃ）に示すように、ランプボディ２０を降下させた状態で、突出部２５の突出方向（図４では左方）へ移動させる。これにより突出部２５は、突出部収納部３３内に収められる。
【００３４】
次に、図４（Ｄ）に示すように、フランジ部２４が受け治具３０の上面３２に掛かるまで下方へ移動させる。
【００３５】
開口部２３は収納部３１の開口部と略同形であり、突出部２５はフランジ部２４の端部よりも外側に突出しているが（図２（Ｂ）参照）、上記工程順に、ランプボディ２０を移動させることで、受け治具３０にランプボディ２０を保持させることができる。
【００３６】
（作用効果）
ランプボディ２０は、底面２１にかかる凹部２２が形成され、突出部２５を除く外形が、底面２１から開口部２３へ向かって、段階的に増大する構成となっている。さらに開口部２３の幅である第２水平距離Ｌ２が、突出部２５を含む第１水平距離Ｌ１よりも長い。
【００３７】
このため、突出部２５の突出方向とは逆の方向にランプボディ２０を寄せることで、突出部２５が形成された部分を、収納部３１の開口部に通すことができる。また、ランプボディ２０は、突出部２５を除いて、開口部２３に向かって外形（水平断面の外形）が広がる構成であるため、突出部２５を通した後に、突出部２５の突出方向へ移動させながら下方へ移動させることで、フランジ部２４を受け治具３０の上面３２に載置することができる。
【００３８】
ランプボディ２０を上記のように構成することにより、突出部２５を避けるために受け治具を分割構成とすることや、受け治具に移動機能や切り欠きを設ける必要がなくなる。このような分割受け治具や付加機能は、受け治具の構造を複雑化させ、受け治具制作費用とランプボディを受け治具に収めるための作業工数を増大させる。また、受け治具と突出部との干渉を避けるために、受け治具の開口部に、突出部位置に対応させて切り欠きを形成すると、切り欠き部分は、ランプカバーを押圧しても受け面がない部分となり、強くランプカバーを押圧できないことから溶着不良が発生しやすい部分となり、好ましくない。
【００３９】
ランプボディ２０を上記のように構成することで、受け治具をシンプルな構成とすることができ、ランプボディ２０を受け治具３０に、容易にかつ安定して保持させることができる。
【００４０】
ここで、図３に戻ってランプボディ２０の構成を説明する。筐体の突出部の先端を含んだ水平レベル（底面からの高さ）を第１水平レベルＨ１とする。第１水平レベルＨ１よりも上方で、突起部の設けられた周壁と対向する周壁間の水平距離が、開口部距離と略一致する水平レベルを第２水平レベルＨ２とする。ランプボディ２０においては、第１水平レベルは、底面２１から突出部２５の上面までの高さとなる。第２水平レベルＨ２は、突出部２５が設けられた周壁２６ａと、これに対向する周壁２６ｃとの水平距離が、第１水平距離Ｌ１と略一致する水平レベルであり、底面２１から周壁２６ｃの水平面２６ｃ１までの高さに該当する。
【００４１】
ランプボディ２０においては、第１水平レベルＨ１と第２水平レベルＨ２のレベル差Ｈ３は、必ず０ｍｍ以上であるが、５ｍｍ以上であることが望ましい。
【００４２】
これは、図４（Ｂ）の工程時、水平面２６ｃ１が収納部３１の上面に接することから、ランプボディ２０の第２水平レベルＨ２より下部が受け治具３０に収められる（図４（Ｂ）参照）。このとき、受け治具３０の上面３２と、突出部２５の上面の距離を距離ｘとすると、距離ｘは、ランプボディ２０においては、レベル差Ｈ３となり、受け治具３０側においては、凹部３３上部の肉厚Ｈ４の最大肉厚となる（図３参照）。レベル差Ｈ３が５ｍｍであれば、肉厚Ｈ４を最大で５ｍｍとすることができる。受け治具３０の上面３２は、溶着時の押圧力の受け面である。肉厚Ｈ４があまりに薄いと、剛性が不十分であり、高い押圧力をかけることができない。レベル差Ｈ３を５ｍｍ以上とすることで、受け治具３０に溶着時の受け面として好ましい剛性を持たせることができる。
【００４３】
本実施形態においては、凹部２２は略直方であったが、ランプボディ２０の外形が、上方にむかって外形が段階的／連続的に増大する形態であれば、どのような形状であっても問題ない。同様に、周壁２６ａ〜２６ｄ（少なくとも周壁２６ｃ）は、内側にむけて湾曲／傾斜／屈曲する構成であってもよい。
【００４４】
（第２実施形態）
図５〜図８を用いて、第２の実施形態について説明する。第１の実施形態と同等の構成については、同一の符号を付して、説明を省略する。
【００４５】
図５は、第２の実施形態に係るランプボディ１２０、ランプカバー１０、およびランプボディ１２０を溶接する際の受け治具３０の分解斜視図である。図６は、ランプボディ１２０を示す。（Ａ）斜視図、（Ｂ）平面図、（Ｃ）正面図、（Ｄ）は図２（Ｂ）に示すII(B)-II(B)線に沿った断面図である。図７は図５の縦断面図である。図８は、ランプボディ１２０を受け治具３０に保持させるための工程図である。
【００４６】
第２の実施形態に係るランプボディ１２０は、上方が開口部１２３として開口した容器状に成形されている。開口部１２３の周縁には、ランプカバー１０との溶着部となるフランジ部１２４が設けられている。
【００４７】
第１の実施形態同様、周壁構成面の第１面である周壁１２６ａには、外側に向かって突出する舌片である突出部１２５が設けられている。図７（Ｂ）に示すように、突出部１２５は、フランジ部１２４よりも外側に突出している。
【００４８】
第１の実施形態のランプボディ２０と比較して、ランプボディ１２０は、底面にかかる凹部がなく、周壁構成面の第２面であり、周壁１２６ａの対向面である周壁１２６ｃが、水平状態から上方に湾曲しながら伸びて、周壁の一面と成り、ランプボディ１２０の底面と周壁の一面を兼ねる構成となっている以外は、ランプボディ２０と同等の構成となっている。
【００４９】
周壁１２６ａ，１２６ｂ，周壁１２６ｄは、周壁１２６ｃの周縁から立設されて一体化している。一対の対向面である周壁１２６ｂと周壁１２６ｄは、同形状の構成で、正対している。周壁１２６ａは矩形状であり、鉛直方向に周壁１２６ｃから立設している。
【００５０】
水平から上方に向かって延出する周壁１２６ｃにより、突出部１２５を除くランプボディ１２０は、下方から上方に向かって外形（水平断面における外周面）が連続的に増大する構成となっている。本実施形態においては、周壁１２６ｃは湾曲面であるが、傾斜平面であってもよい。
【００５１】
図７に示すように、突出部１２５の先端を含む縦断面において、突出部１２５の先端から、突出部１２５が設けられた周壁１２６ａの対向面である周壁１２６ｃの外面までの水平距離を第３水平距離Ｌ３とし、ランプボディ１２０の開口部１２３の水平距離を第４水平距離Ｌ４とすると、第３水平距離Ｌ３は第４水平距離Ｌ４よりも短くなるように構成されている。
【００５２】
第１実施形態同様に、受け治具３０の開口部の形状はランプボディ１２０の開口部１２３に略一致する。
【００５３】
（収納工程）
ランプボディ１２０を受け治具３０に保持させる工程を説明する。
【００５４】
まず、図８（Ａ）に示すように、ランプボディ１２０を、受け治具３０の位置から、突出部１２５の突出方向とは逆の方向（図８においては右方）に寄せて配置する。
【００５５】
次に、図８（Ｂ）に示すように、ランプボディ１２０を、周壁１２６ｃの下面が受け治具３０に接触するまで下方に移動させ、ランプボディ１２０の下部を収納部３１に収める。
【００５６】
次に、図８（Ｃ）に示すように、ランプボディ２０を降下させた状態で、突出部２５の突出方向（図８においては左方）へ移動させる。これにより突出部２５は、突出部収納部３３内に収められる。
【００５７】
次に、図８（Ｄ）に示すように、フランジ部１２４が受け治具３０の上面３２に掛かるまで下方へ移動させる。
【００５８】
上記工程の順に、ランプボディ１２０を移動させることで、フランジ部１２４を上面３２に掛け、ランプボディ１２０を収納部３１に収めて、受け治具３０で保持させることができる。
【００５９】
ここで、図７に戻って説明する。ランプボディ１２０における第１水平レベルＨ１は、周壁１２６ａの下端から突出部１２５の上面までの高さとなる。ランプボディ１２０における第２水平レベルＨ２は、フランジ部１２４と、突出部１２５の間の地点となる。第２水平レベルＨ２における、周壁１２６ａの外面から周壁１２６ｃの外面までの距離を第５水平距離Ｌ５とすると、第５水平距離Ｌ５は、第３水平距離Ｌ３と等しい。
【００６０】
第１実施形態と同様に、第１水平レベルＨ１と第２水平レベルＨ２のレベル差Ｈ３は、受け治具３０においては、凹部３３上部の肉厚Ｈ４の最大肉厚となる。このため、やはりレベル差Ｈ３は５ｍｍ以上であることが好ましい。
【００６１】
（変形例）
図９は第２実施形態にかかるランプボディ１２０の変形例であるランプボディ１２０´を示し、図９（Ａ）が斜視図、図９（Ｂ）が平面図、図９（Ｃ）が正面図、図９（Ｄ）が図９（Ｂ）のIX(D)-IX(D)線に沿った断面図であり、受け治具３０に保持された状態を示す。
【００６２】
図１０は、第２実施形態にかかるランプボディ１２０変形例であるランプボディ１２０”を示し、図１０（Ａ）が斜視図、図１０（Ｂ）が受け治具に保持された状態の断面図である。
【００６３】
ランプボディ１２０´は、突出部１２５が設けられた周壁１２６ａ´が、上方に向けて９０度以上の角度で周壁１２６ｃと接続されている。また、奥行方向にも傾斜した構成となっている。このように、突出部が設けられた周壁の第１面は、水平方向にも鉛直方向にも傾斜していても問題はなく、湾曲面であってもよい。
【００６４】
ランプボディ１２０”は、四方の周壁が一体化して、周壁１２０ｃ”として底面から開口部に向かって放射状に広がる椀形状となっている。ランプボディ１２０”のように、周壁は、突出部を含んだ縦断面形状を基準として、奥行方向（断面押し出し方向、図２（Ｂ）に示す矢印ＤＲ方向）には、外形が縮小する形態（縦断面において、突出部１２５が設けられた部分が外形最大である形態）であれば、周壁は奥行方向に湾曲している、もしくは凹部が形成されていても問題ない。
【００６５】
以上、本発明の好ましい実施形態について述べたが、上記の実施形態は本発明の一例であり、これらを当業者の知識に基づいて組み合わせることが可能であり、そのような形態も本発明の範囲に含まれる。
【符号の説明】
【００６６】
１０        ：ランプカバー
２０        ：ランプボディ
２１        ：底面
２２        ：凹部
２３        ：開口部
２４        ：フランジ部
２５        ：突出部
２６ａ      ：周壁（第１面）
２６ｂ      ：周壁（第２面）
２６ｃ，２６ｄ：周壁
３０        ：受け治具
ＤＲ        ：矢印
Ｈ１        ：第１水平レベル
Ｈ２        ：第２水平レベル
Ｈ３        ：レベル差
Ｌ１        ：第１水平距離
Ｌ２        ：第２水平距離
【図１】
2022003632.tif 000003
【図２】
2022003632.tif 000004
【図３】
2022003632.tif 000005
【図４】
2022003632.tif 000006
【図５】
2022003632.tif 000007
【図６】
2022003632.tif 000008
【図７】
2022003632.tif 000009
【図８】
2022003632.tif 000010
【図９】
2022003632.tif 000011
【図１０】
2022003632.tif 000012
【図１１】
2022003632.tif 000013
【図１２】
2022003632.tif 000014